(57)【特許請求の範囲】
【請求項１】
Webサーバ機能を有するネットワークカードと表示装置を有する画像形成装置とが接続されており、前記ネットワークカードとWebクライアント機能を有するユーザ端末とが通信ネットワークで接続されている画像形成システムであって、
前記ネットワークカードは、
前記ネットワークカード起動時に、前記画像形成装置から、該画像形成装置の使用される地域の言語に係る情報である言語関連情報として、前記画像形成装置の記憶部に格納されている仕向け地情報を取得する言語関連情報取得手段と、
前記言語関連情報取得手段により取得した前記言語関連情報に基づいて、前記ユーザ端末のWeb画面情報を作成するWeb画面情報作成手段と、を有し、
前記言語関連情報取得手段は、前記仕向け地情報を取得できなかった場合に、前記言語関連情報として、前記記憶部に格納されている前記表示装置に表示される言語の情報である表示装置言語情報を取得することを特徴とする画像形成システム。
【請求項２】
前記ネットワークカードは、前記表示装置言語情報を取得できなかった場合に、表示言語をなしとして、起動を終了することを特徴とする請求項１に記載の画像形成システム。
【請求項３】
前記ユーザ端末は、
Webブラウザ表示言語情報を含むWeb画面情報の要求であるHTTPリクエストを前記ネットワークカードに送信するWeb画面要求送信手段を有し、
前記言語関連情報取得手段は、前記HTTPリクエストに含まれる前記Webブラウザ表示言語情報を取得することを特徴とする請求項１又は２に記載の画像形成システム。
【請求項４】
前記web画面情報生成手段は、前記言語関連情報取得手段が前記仕向け地情報又は前記表示装置言語情報を取得できない場合に、前記webブラウザ表示言語情報に基づいて前記Web画面情報を作成することを特徴とする、請求項３に記載の画像形成システム。
【請求項５】
前記web画面情報生成手段は、前記言語関連情報取得手段が前記webブラウザ表示言語情報を取得できない場合に、英語により前記Web画面情報を作成することを特徴とする、請求項４に記載の画像形成システム。
【請求項６】
画像形成装置と接続されているWebサーバ機能を有するネットワークカードであって、
前記ネットワークカードとWebクライアント機能を有するユーザ端末とが通信ネットワークで接続されている場合に、
起動時に、前記画像形成装置から、該画像形成装置の使用される地域の言語に係る情報である言語関連情報として、前記画像形成装置の記憶部に格納されている仕向け地情報を取得する言語関連情報取得手段と、
前記言語関連情報取得手段により取得した前記言語関連情報に基づいて、前記ユーザ端末のWeb画面情報を作成するWeb画面情報作成手段と、を有し、
前記言語関連情報取得手段は、前記仕向け地情報を取得できなかった場合に、前記言語関連情報として、前記記憶部に格納されている前記表示装置に表示される言語の情報である表示装置言語情報を取得することを特徴とするネットワークカード。
【請求項７】
請求項６に記載されたWebサーバ機能を有するネットワークカードが装着された画像形成装置。
【請求項８】
画像形成装置と接続されているWebサーバ機能を有するネットワークカードのWebサーバ処理プログラムであって、
コンピュータを、
前記ネットワークカード起動時に、前記画像形成装置から、該画像形成装置の使用される地域の言語に係る情報である言語関連情報として、前記画像形成装置の記憶部に格納されている仕向け地情報を取得する言語関連情報取得手段と、
前記言語関連情報取得手段により取得した前記言語関連情報に基づいて、前記ユーザ端末のWeb画面情報を作成するWeb画面情報作成手段として機能させ、
前記言語関連情報取得手段は、前記仕向け地情報を取得できなかった場合に、前記言語関連情報として、前記記憶部に格納されている前記表示装置に表示される言語の情報である表示装置言語情報を取得することを特徴とするWebサーバ処理プログラム。
【発明の詳細な説明】
【技術分野】
【０００１】
本発明は、Webサーバ機能を有するネットワークカードを活用することによって、画像形成装置の有する仕向け地情報に応じ、ユーザ端末におけるWebブラウザの表示言語を適正に設定する技術に関する。
【背景技術】
【０００２】
近年、Web技術の発達に伴い、インターネットのユーザは汎用的なブラウザによって世界中の様々なサイトで提供されている情報を手軽に閲覧することが出来る。また、特許文献１によれば、ユーザの操作の負担を増加させることなくWebページの表示情報の視認性を高めることができるようにもなっている。
【０００３】
このWeb技術の発達により、ユーザ端末のWebブラウザで画像形成装置にアクセスすることによって、WebブラウザのGUI（Graphical User Interface）により画像形成装置の状態閲覧、画像形成装置の設定、及びネットワークの設定まで行うことが出来る。
【特許文献１】特開２００４−１６４６２３号公報
【発明の開示】
【発明が解決しようとする課題】
【０００４】
しかしながら、Webブラウザで画像形成装置にアクセスすることによって、上記のような技術が実現していても、WebブラウザでWeb画面を閲覧する場合の表示言語が画像形成装置と対応しない場合があり、そのような場合はユーザ端末による画像形成装置の設定等が困難になるという問題があった。
【０００５】
そこで、上記問題を解決するために、ユーザ端末が接続された画像形成装置等に対応して、ユーザ端末上のWebブラウザで表示する画面の言語を適正に設定する画像形成システムを提供することを目的とする。
【課題を解決するための手段】
【０００６】
上記目的を達成するために、Webサーバ機能を有するネットワークカードと表示装置を有する画像形成装置とが接続されており、前記ネットワークカードとWebクライアント機能を有するユーザ端末とが通信ネットワークで接続されている画像形成システムであって、前記ネットワークカードは、前記ネットワークカード起動時に、前記画像形成装置から、該画像形成装置の使用される地域の言語に係る情報である言語関連情報として、前記画像形成装置の記憶部に格納されている仕向け地情報を取得する言語関連情報取得手段と、前記言語関連情報取得手段により取得した前記言語関連情報に基づいて、前記ユーザ端末のWeb画面情報を作成するWeb画面情報作成手段、を有し、前記言語関連情報取得手段は、前記仕向け地情報を取得できなかった場合に、前記言語関連情報として、前記記憶部に格納されている前記表示装置に表示される言語の情報である表示装置言語情報を取得することを特徴とする。
【０００７】
これによって、ユーザ端末が接続された画像形成装置等に対応して、ユーザ端末上のWebブラウザで表示する画面の言語を適正に設定する画像形成システムを提供することができる。
【０００８】
また、上記目的を達成するために、前記ネットワークカードは、前記表示装置言語情報を取得できなかった場合に、表示言語をなしとして、起動を終了することを特徴とする。
【０００９】
これによって、ユーザ端末からネットワークカードへWebブラウザでアクセスした際は、画像形成装置が有する仕向け地情報に応じて、Web画面の表示言語を適正に設定する画像形成システムを提供することができる。
【００１０】
また、上記目的を達成するために、前記ユーザ端末は、Webブラウザ表示言語情報を含むWeb画面情報の要求であるHTTP（HyperText  Transfer  Protocol）リクエストを前記ネットワークカードに送信するWeb画面要求送信手段を有し、前記言語関連情報取得手段は、前記HTTPリクエストに含まれる前記Webブラウザ表示言語情報を取得することを特徴とする。
【００１１】
これによって、ユーザ端末からネットワークカードへWebブラウザでアクセスした際は、画像形成装置が有するLCD等表示装置言語情報に応じて、Web画面の表示言語を適正に設定する画像形成システムを提供することができる。
【００１２】
上記目的を達成するために、前記web画面情報生成手段は、前記言語関連情報取得手段が前記仕向け地情報又は前記表示装置言語情報を取得できない場合に、前記webブラウザ表示言語情報に基づいて前記Web画面情報を作成することを特徴とする。
【００１３】
これによって、Webブラウザ表示言語情報に応じて、Web画面の表示言語を適正に設定する画像形成システムを提供することができる。
【００１４】
上記目的を達成するために、前記web画面情報生成手段は、前記言語関連情報取得手段が前記webブラウザ表示言語情報を取得できない場合に、英語により前記Web画面情報を作成することを特徴とする。
【００１５】
これによって、仕向け地情報、表示装置言語情報、Webブラウザ表示言語情報が取得できない場合においても、Web画面の表示言語を適正に設定する画像形成システムを提供することができる。
【発明の効果】
【００１６】
ユーザ端末が接続された画像形成装置等に対応して、ユーザ端末上のWebブラウザで表示する画面の言語を適正に設定する画像形成システムを提供することができる。
【発明を実施するための最良の形態】
【００１７】
以下、図面を参照して本発明の好適な実施形態について詳細に説明する。
【００１８】
＜本発明の実施形態に係るシステム構成＞
図１は、本発明の実施形態に係るシステム構成を示す図である。
【００１９】
本実施形態のシステム構成は、画像形成装置１１がネットワークカードを搭載しており、前記ネットワークカードと、ユーザ端末１２、１３、１４とが通信ネットワーク１５で接続されている。ネットワークカードが画像形成装置１１と通信ネットワーク１５とのインタフェースの役割を果たしている。
【００２０】
各ユーザ端末１２、１３、１４は、通信ネットワーク１５を介し、画像形成装置１１に印刷データの出力の指示を行う。それに応答して、画像形成装置１１は印刷データの出力を行う。
【００２１】
＜本発明の原理図＞
以下に、本発明の原理について説明する。
【００２２】
図２に本発明の原理図（ブロック図）を示す。
【００２３】
図２では、画像形成装置本体２１に、ネットワークカード２２が装着された画像形成装置２０と、ユーザ端末２３とが通信ネットワーク２９を介して接続されている。
【００２４】
本発明では、ユーザ端末２３をWebクライアント３１とし、ネットワークカード２２をWebサーバ３２とした。
【００２５】
一般的に、Webクライアント３１とWebサーバ３２とは、図３に示すように、Webクライアント３１の要求によりWebサーバ３２に対しHTTPリクエスト３３と呼ばれる画面要求を送信する。それに応答して、Webサーバ３２はWebクライアント３１に対し、HTTPレスポンス３４を返送する。本発明では、Webクライアントであるユーザ端末２３はWeb画面要求であるHTTPリクエスト３３を、Webブラウザ起動時に、Webサーバであるネットワークカード２２に送信する。それに応答して、ネットワークカード２２はWeb画面情報を生成し、HTTPレスポンス３４をユーザ端末２３に送信する。ユーザ端末２３は、受信したWeb画面情報をWebブラウザで表示する。
【００２６】
図２で画像形成装置本体２１は、後述される言語関連情報２４と、その具体的内容である仕向け地情報２４１、表示装置言語情報２４２を有する。
【００２７】
言語関連情報２４は、画像形成装置本体２１の使用される地域の言語に係る情報である。
【００２８】
仕向け地情報２４１は、画像形成装置本体２１の使用される国又は地域に係る情報であり、例えば、日本、北米、欧州といった情報である。
【００２９】
表示装置言語情報２４２は、画像形成装置本体２１に設けられた表示装置に表示される言語の情報であり、例えば、日本語、英語といった情報である。
【００３０】
図２でユーザ端末２３は、Web画面要求送信手段２７、Webブラウザによる画面表示部２８を有する。
【００３１】
Web画面要求送信手段２７は、Web画面情報の要求であるHTTPリクエスト３３にWebブラウザ表示言語情報を付加してWebサーバであるネットワークカード２２に対し送信する。
【００３２】
なお、後述するネットワークカード２２は、ユーザ端末２３のWebブラウザ起動時に送信した前記HTTPリクエスト３３に含まれるWebブラウザ表示言語情報を取得する。
【００３３】
また、図２でネットワークカード２２は、言語関連情報取得手段２５、Web画面情報作成手段２６を有する。
【００３４】
言語関連情報取得手段２５は、画像形成装置本体２１の中に格納されている当該画像形成装置本体２１の言語関連情報２４等を取得する。
【００３５】
Web画面情報作成手段２６は、取得した言語関連情報及びWebブラウザ表示言語情報に基づいて、ユーザ端末２３のWebブラウザで表示するためのWeb画面情報を作成する。
【００３６】
そして、Web画面情報作成手段２６により、作成されたWeb画面情報はWebクライアントであるユーザ端末２３に通信ネットワーク２９を介して送信され、ユーザ端末２３のWebブラウザによる画面表示部２８によって画面表示される。
【００３７】
そうすることで、ユーザ端末２３におけるWebブラウザの表示言語設定にもかかわらず、ネットワークカード２２において、ユーザ端末２３上のWeb画面の表示言語を、画像形成装置が有する言語関連情報２４等に基づいて、適正に設定することができる。
【００３８】
＜ネットワークカードのハードウェア構成＞
図４は、ネットワークカードのハードウェア構成を示す図である。
【００３９】
図４に示すようにネットワークカードは制御部４１、記憶部４２、表示部４３、画像形成装置I/F（Interface）４４、ネットワークI/F４５及び入力部４６とから構成され、ネットワーク機能を提供するため画像形成装置本体２１に接続される。
【００４０】
制御部（CPU：Central Processing Unit）４１は、ROM（Read-Only Memory）に記憶されたプログラムを実行する装置で、RAM（Random Access Memory）に展開（ロード）されたデータを、プログラムの命令に従って演算処理し、ネットワークカード全体の制御を行う。制御部（CPU）４１は、言語関連情報取得手段４１１、Web画面情報作成手段４１２、HTTPリクエスト分析手段４１３を有する。
【００４１】
言語関連情報取得手段４１１、Web画面情報作成手段４１２は、図２における各手段と対応している。
【００４２】
また、HTTPリクエスト分析手段４１３は、Webクライアントから受信したHTTPリクエストを分析し、その情報に含まれるWebブラウザ表示言語情報を取得する。
【００４３】
記憶部（ROM、RAM）４２は、制御部４１が実行するプログラム、データ及びネットワーク設定を記憶するROMや、制御部４１でROMに記憶されたプログラムを実行する際に、実行するプログラムやデータが展開（ロード）され、演算の間、演算データを一時保持するRAMで構成される。
【００４４】
表示部（LED：Light Emitting Diode表示）４３は、ネットワークのLink状態（10Base-T/100Base-TX等の接続状態）、通信状態（通信状態で点灯、消灯）を表示し、並びに異常状態に陥ったことを表示する。
【００４５】
画像形成装置I/F４４は、画像形成装置本体２１と接続するためのインタフェースである。
【００４６】
ネットワークI/F４５は、LAN（Local Area Network）、WAN（Wide Area Network）等を介し、ユーザ端末からの印刷データの受信、管理情報要求（主に、Web、SNMP：Simple Network Management Protocolが用いられる）に対する応答等の情報を交換するためのインタフェースである。
【００４７】
入力部（Push Switch）４６は、ボタンを押下することで、ネットワーク設定を初期値に戻すために用いられるボタンである。なお入力部４６は、ネットワーク設定を初期値に戻す手段であればよく、ボタンに限らずスライド式のスイッチ等でも良い。
【００４８】
ネットワークカード２２は、画像形成装置I/F４４により画像形成装置本体２１と接続されている。
【００４９】
以下に、ネットワークカード２２の動作を説明する。
【００５０】
言語関連情報取得手段２５により画像形成装置本体２１の言語関連情報２４等を取得する場合には、ネットワークカード２２の制御部（CPU）４１の言語関連情報取得手段４１１が当該情報の取得命令を出し、前記画像形成装置I/F４４を介して、取得する。取得された言語関連情報２４は、記憶部４２に格納される。
【００５１】
また、ユーザ端末２３のWeb画面要求送信手段２７によりHTTPリクエストが送信された場合には、通信ネットワークを介し、ネットワークI/F４５で当該情報を受け、制御部（CPU）４１のHTTPリクエスト分析手段４１３がそのHTTPリクエストを分析し、その情報に含まれるWebブラウザ表示言語情報を取得し、記憶部４２に格納する。
【００５２】
そして、制御部（CPU）４１のWeb画面情報作成手段４１２は、記憶部４２に格納した言語関連情報２４及びWebブラウザ表示言語情報に基づいてWeb画面情報を作成する。作成されたWeb画面情報はネットワークI/F４５から通信ネットワークを介し、ユーザ端末２３に送信される。
【００５３】
＜ユーザ端末のハードウェア構成＞
図５は、ユーザ端末のハードウェア構成を示す図である。
【００５４】
図５に示すようにユーザ端末は制御部５１、主記憶部５２、補助記憶部５３、ネットワークI/F５４、外部記憶装置I/F５５、外部装置I/F５６、出力装置I/F５７及び入力装置I/F５８とから構成されている。
【００５５】
制御部（CPU）５１はROMに記憶されたプログラムを実行する装置で、RAMに展開（ロード）されたデータを、プログラムの命令に従って演算処理し、ユーザ端末全体を制御する。制御部（CPU）５１は、Web画面要求送信手段５１１とWebブラウザ表示手段５１２を有する。
【００５６】
Web画面要求送信手段５１１は、図2の当該手段と対応している。
【００５７】
Webブラウザ表示手段５１２は、受信したWeb画面情報をWebブラウザで読み取り、出力装置I/F５７を介し、ディスプレイにWeb画面を表示する。
【００５８】
主記憶部５２は、制御部が実行するプログラムやデータを記憶するROMや、制御部でROMに記憶されたプログラムを実行する際に、実行するプログラムやデータが展開（ロード）され、演算の間、演算データを一時保持するRAMで構成される。
【００５９】
補助記憶部５３はOSなどの基本ソフトウェアやプリンタユーティリティなどのアプリケーションソフトウェアを関連データとともに記憶する装置である。Webブラウザ表示言語情報は、補助記憶部（HD）５３に格納されている。
【００６０】
ネットワークI/F５４は、ネットワークを介して接続された他の通信制御装置を備えた周辺機器と情報（データ）をやり取りするインタフェースである。
【００６１】
外部記憶装置I/F５５は、USB（Universal Serial Bus）などのデータ伝送路を介して接続された外部記憶装置（例えば、記憶メディアドライブ等）とユーザ端末との間でデータをやり取りするインタフェースである。
【００６２】
外部装置I/F５６は、データ伝送路を介して接続された外部入力装置（例えば、デジタルカメラ、スキャナ等）からユーザ端末にデータを受信するインタフェースである。
【００６３】
出力装置I/F５７は、ユーザ端末からデータ伝送路を介して接続された出力装置（例えば、CRT：Cathode Ray Tube、LCD）へデータを送信するインタフェースである。
【００６４】
入力装置I/F５８は、データ伝送路を介して接続された入力装置（例えば、キーボードやマウス等）からユーザ端末にデータを受信するインタフェースである。
【００６５】
ユーザ端末２３は、ネットワークI/F５４を介して、通信ネットワークと接続されている。
【００６６】
以下に、ユーザ端末２３の動作を説明する。
【００６７】
制御部（CPU）５１の命令により、補助記憶部５３に記憶されている印刷データをネットワークI/F５４を介して、画像形成装置本体２１に送信して、当該印刷データの印刷を行う。
【００６８】
また、制御部（CPU）５１の命令により、補助記憶部５３に格納しているアプリケーションソフトウェアであるWebブラウザを起動させ、Web画面要求送信手段５１１は、補助記憶部（HD）５３に格納しているWebブラウザ表示言語情報を含むHTTPリクエストをネットワークI/F５４、通信ネットワークを介して、Webサーバであるネットワークカード２２に向け送信する。
【００６９】
一方で、Web画面情報作成手段２６により作成されたWeb画面情報を、通信ネットワーク、ネットワークI/F５４を介して受信し、制御部（CPU）５１のWebブラウザ表示手段５１２は、Webブラウザでその受信した情報を読み取り、出力装置I/F５７を介し、ディスプレイにWeb画面を表示する。
【００７０】
＜画像形成装置本体のハードウェア構成＞
図６は、画像形成装置本体２１のハードウェア構成を示す図である。
【００７１】
図６に示すように、画像形成装置本体２１は制御部６１、記憶部６２、表示部６３、入力部６４、外部装置I/F６５、印刷部（プロッタ部）６６、通信I/F６７、不揮発性メモリ６８とから構成される。ネットワークと接続するために、通信I/F６７にはネットワークカード２２を接続する。
【００７２】
制御部（CPU）６１は、ROMに記憶されたプログラムを実行する装置で、RAMに展開（ロード）されたデータを、プログラムの命令に従って演算処理し、画像形成装置本体２１の全体を制御する。
【００７３】
記憶部（ROM、RAM）６２は、制御部が実行するプログラムやデータを記憶するROMや、制御部でROMに記憶されたプログラムを実行する際に、実行するプログラムやデータが展開（ロード）され、演算の間、演算データを一時保持するRAMで構成される。また、仕向け地情報２４１や表示装置言語情報２４２は、ROMの中のMIB（Management Information Base）情報データベースに格納されている。MIB情報とは、SNMPで管理されるネットワーク機器が、自分の状態を外部に知らせるために公開する情報のことである。
【００７４】
不揮発性メモリ（NVRAM：Non-volatile RAM）６８は、電源を切ってもデータが消えず保存される半導体メモリのことであり、仕向け地情報２４１や表示装置言語情報２４２等の画像形成装置の機器管理情報が格納されている。これらの情報が格納されている態様を図１０に示す。
【００７５】
表示部６３及び入力部６４は、ハードキーによるキースイッチとLCDとから構成され、画像形成装置本体２１が有する機能をユーザが利用する際に、各種設定を行うなどのユーザインタフェースとして機能する装置である。
【００７６】
外部装置I/F６５は、データ伝送路を介して接続された外部入力装置（例えば、SDカード、スマートメディア、USBメモリ等）と画像形成装置本体２１との間のデータをやり取りするインタフェースである。
【００７７】
通信I/F６７は、ネットワークカード２２を接続するためのインタフェースである。
【００７８】
印刷部（プロッタ部）６６は、ユーザ端末にインストールされたプリンタドライバから生成された印刷データを受け取ると、印刷を行う装置である。
【００７９】
画像形成装置本体２１は、通信I/F６７でネットワークカード２２と接続されている。
【００８０】
以下に、画像形成装置本体２１の動作を説明する。
【００８１】
ユーザ端末２３から通信ネットワークを介して印刷データが送信されてくると、通信I/F６７を通じてその印刷データが受信され、制御部（CPU）６１の命令により、印刷部６６にてその印刷データは印刷される。
【００８２】
また、画像形成装置本体２１の制御部（CPU）６１は、ネットワークカード２２の言語関連情報取得手段４１１からの命令を受け、不揮発性メモリ（NVRAM）６８に格納されている言語関連情報２４等を読み取り、ネットワークカード２２に送信する。制御部（CPU）６１は、言語関連情報２４である仕向け地情報２４１や表示装置言語情報２４２を、不揮発性メモリ（NVRAM）６８のそれぞれの情報が格納されている番地を指定して、当該情報を読み取る。また、制御部（CPU）６１は、仕向け地情報２４１や表示装置言語情報２４２をMIB情報データベースからも読み取る。
【００８３】
＜実施形態＞
以下に、本発明の実施形態を図７、図８のフローチャートを用いて示す。
【００８４】
図７にネットワークカード２２を起動した場合のネットワークカード２２が行う処理に係るフローチャートを示す。
【００８５】
Ｓ１でネットワークカード２２が起動されると、Ｓ２でネットワークカード２２は言語関連情報取得手段２５により、画像形成装置本体２１の仕向け地情報２４１を不揮発性メモリ（NVRAM）から取得する。
【００８６】
Ｓ２で仕向け地情報２４１が取得できた場合（Ｓ２でYesの場合）には、ネットワークカード２２は取得したその仕向け地情報２４１を、図９に示すような仕向け地と言語の変換表を用いて、仕向け地情報２４１を言語情報に変換し、変換された言語情報をＳ５で表示言語に設定する。
【００８７】
一方、Ｓ２で仕向け地情報２４１が取得できなかった場合（Ｓ２でNoの場合）には、Ｓ３でネットワークカード２２は言語関連情報取得手段２５により、画像形成装置本体２１の表示装置言語情報２４２を不揮発性メモリ（NVRAM）から取得する。
【００８８】
Ｓ３で表示装置言語情報２４２が取得できた場合（Ｓ３でYesの場合）には、Ｓ６でネットワークカード２２はその表示装置言語情報２４２を表示言語に設定する。
【００８９】
次に、Ｓ３で表示装置言語情報２４２が取得できなかった場合（Ｓ３でNoの場合）には、Ｓ４でネットワークカード２２は表示言語を無しに設定し、Ｓ７でネットワークカードの起動処理を終了する。
【００９０】
図８にネットワークカード２２にWebクライアントであるユーザ端末２３からWebブラウザによりアクセスがあった場合のネットワークカード２２が行う処理に係るフローチャートを示す。
【００９１】
Ｓ８でWebクライアントであるユーザ端末２３はWebブラウザ起動時にWebブラウザで、Webサーバであるネットワークカード２２にアクセスする。
【００９２】
Ｓ９において、図７のＳ５又はＳ６で表示言語の設定がされている場合（Ｓ９でYesの場合）には、Ｓ１３でネットワークカード２２はWeb画面情報作成手段２６により、Web画面情報をその設定されている表示言語に基づいて作成する。
【００９３】
そして、Ｓ１２でWebクライアントであるユーザ端末２３に、作成したWeb画面情報を送信して、Ｓ１５でネットワークカード２２は処理を終了する。
【００９４】
Ｓ９で表示言語の設定がされていない場合（Ｓ９でNoの場合）には、Ｓ１０でネットワークカード２２はユーザ端末２３のWeb画面要求送信手段２７により送信されたWebブラウザ表示言語情報を含むHTTPリスクエストの内容をHTTPリクエスト分析手段４１３が分析し、Webブラウザ表示言語情報を取得する。
【００９５】
Ｓ１０でWebブラウザ表示言語情報の取得ができた場合（Ｓ１０でYesの場合）には、Ｓ１４でネットワークカード２２はWeb画面情報作成手段２６により、そのWebブラウザ表示言語情報に基づいてWeb画面情報を作成する。
【００９６】
そして、Ｓ１２でWebクライアントであるユーザ端末２３に、作成したWeb画面情報を送信して、Ｓ１５でネットワークカード２２は処理を終了する。
【００９７】
Ｓ１０でWebブラウザ表示言語情報の取得ができない場合（Ｓ１０でNoの場合）には、Ｓ１１でネットワークカード２２はWeb画面情報作成手段２６により、デフォルト言語である英語でWeb画面情報を作成する。
【００９８】
そして、Ｓ１２でWebクライアントであるユーザ端末２３に、作成したWeb画面情報を送信して、Ｓ１５でネットワークカード５２は処理を終了する。
【００９９】
最後に、ユーザ端末２３は、Webブラウザで受信したWeb画面情報を表示する。
【０１００】
この様にして、ネットワークカード２２を利用し、画像形成装置本体２１が有する言語関連情報２４等に基づいて、Web画面の表示言語を適正に設定する画像形成システムを提供する。
【０１０１】
＜変形例＞
画像形成装置本体２１の仕向け地情報２４１又は表示装置言語情報２４２を、上記実施形態のように不揮発性メモリ（NVRAM）から取得することも可能であるが、MIB情報データベースからも当該情報を取得することが可能である。
【０１０２】
この場合、図６で、仕向け地情報２４１と表示装置言語情報２４２は、画像形成装置本体２１の記憶部６２のROMにMIB情報データベースの一部として保持されている。それらの情報が格納されている態様を図１１に示す。
【０１０３】
そして、Ｓ２、Ｓ３でネットワークカード２２の言語関連情報取得手段２５は、仕向け地情報２４１又は表示装置言語情報２４２をこのMIB情報データベースから取得する。
【図面の簡単な説明】
【０１０４】
【図１】本発明の実施形態に係るシステム構成を示す図である。
【図２】本発明の原理図（ブロック図）を示す図である。
【図３】WebクライアントとWebサーバの関係を示す図である。
【図４】ネットワークカードのハードウェア構成を示す図である。
【図５】ユーザ端末のハードウェア構成を示す図である。
【図６】画像形成装置のハードウェア構成を示す図である。
【図７】ネットワークカード起動時のネットワークカードが行う処理に係るフローチャートである。
【図８】ユーザ端末からネットワークカードへWebブラウザによるアクセスがあった場合のネットワークカードが行う処理に係るフローチャートである。
【図９】仕向け地情報とそれに対応する言語情報の一例を示す図である。
【図１０】不揮発性メモリに格納されている言語関連情報の一例を示す図である。
【図１１】MIB情報として格納されている言語関連情報の一例を示す図である。
【符号の説明】
【０１０５】
２０  画像形成装置
２１  画像形成装置本体
２２  ネットワークカード
２３  ユーザ端末
２４  言語関連情報
２４１  仕向け地情報
２４２  表示装置言語情報
２５  言語関連情報取得手段
２６  Web画面情報作成手段
２７  Web画面要求送信手段
２８  Webブラウザによる画面表示部
２９  通信ネットワーク
３１  Webクライアント
３２  Webサーバ
３３  HTTPリクエスト
３４  HTTPレスポンス
１０１  仕向け地情報格納領域
１０２  表示装置言語情報格納領域
１１１  仕向け地情報格納領域
１１２  表示装置言語情報格納領域
【図１】
0005041940.tif 000002
【図２】
0005041940.tif 000003
【図３】
0005041940.tif 000004
【図４】
0005041940.tif 000005
【図５】
0005041940.tif 000006
【図６】
0005041940.tif 000007
【図７】
0005041940.tif 000008
【図８】
0005041940.tif 000009
【図９】
0005041940.tif 000010
【図１０】
0005041940.tif 000011
【図１１】
0005041940.tif 000012